(57)【要約】【課題】簡単な構成で且つ低コストで、民生機器である各種の有用な機器の機能を医療用として使用することのできる電気機器の医療用アタッチメントを提供する。【解決手段】本発明の医療用アタッチメント２は、金属製で形成された前側カバー３と、この前側カバー３と組み合わさせる金属製の背面パネル９とを有し、前側カバー３内部に民生用のＴＶモニタ装置１を着脱自在に収容できる構成となっている。また前側カバー３には絶縁トランス７が配されており、該絶縁トランス７のＧＮＤ（アース）と前側カバー３とは電気的に接続されている。これにより、該ＴＶモニタ装置１は金属製の医療用アタッチメント２内に囲まれるように収容されることになり、また絶縁トランス７のＧＮＤ（アース）に電気的に接続されているため、該ＴＶモニタ装置１が発する電磁波を、医療現場で使用するに相応しいレベルまで減衰させることができる。【選択図】  図１
2005013612.tif 000002
【特許請求の範囲】
【請求項１】
電磁波を遮蔽可能な材料で形成され、電気機器を収容するための内部空間を形成する機器収納ユニットと、
前記電気機器と電気的に接続するために前記機器収納ユニットの内部空間側に設けられる第１のコネクタ部と、
前記第１のコネクタ部と電気的に接続すると共に、前記機器収納ユニットの外部側に設けられる第２のコネクタ部と、
を有することを特徴とする電気機器のための医療用アタッチメント。
【請求項２】
医療用の電気機器と組み合わせて使用可能な電気機器のための医療用アタッチメントにおいて、
電磁波を遮蔽可能な材料で形成され、非医療用電気機器を収容するための内部空間を形成する機器収納ユニットと、
前記機器収納ユニットをアースに接続する第１のコネクタ部と、
前記第１のコネクタ部と電気的に接続すると共に、前記機器収納ユニットの外部側に設けられる第２のコネクタ部と、
を設けて構成したことを特徴とする電気機器のための医療用アタッチメント。
【発明の詳細な説明】
【０００１】
【発明の属する技術分野】
本発明は、電気機器のための医療用アタッチメントに関し、特に簡単で且つ低コストで民生用の各種電気機器を医療用として使用可能とするのに好適の医療用アタッチメントに関する。
【０００２】
【従来の技術】
従来より、医療現場で用いられる電気機器には、安全性のため電磁波対策等の規制に適合することが求められている。
【０００３】
一方、画像関連の民生機器の進歩は目覚しく、医療現場での使用が望まれるような機器も多く市販されているが、上述したような規制等に適合した医用電気機器として発売されるまでタイムラグがあったり、医療用電気機器としては商品化されないものも多い。
【０００４】
このように、昨今では、更なる医療用システムの機能拡張のため、上述したような民生用の各種電気機器を医療用として、上記規制等を満足させて安全性を確保した状態で使用することが強く望まれている。
【０００５】
この種の技術分野における関連技術しては、例えば特開平６−２４５８９５号公報に記載の内視鏡システム構成機器収納カートがある。
【０００６】
この提案による内視鏡システム構成機器収納カートは、後部に開口を有する箱形状のカート本体と、このカート本体の後部開口に開閉自在に設けられた後部扉とを有し、このカート本体が、上面と下面を除く一面にシステム構成機器のコネクタが係合する開口を設けて構成したことが特徴である。
【０００７】
この構成により、内視鏡下手術において使用される各種医療用電子機器の汚れを防止し、手術室内の雑多な雰囲気を解消することの可能な内視鏡システム構成機器収納カートを提供する目的を達成しようとしている。
【０００８】
【特許文献１】
特開平６−２４５８９５号公報
【０００９】
【発明が解決しようとする課題】
ところで、単に民生用の各種有用な電気機器を医療用として用いることを実現するためには、膨大なコストをかけて開発する必要が生じることになる。しなかながら、従来技術では、各種有用な電気機器を医療用として上記規制等を満足させて安全性を確保しつつ、且つ低コストで使用することができるシステムに関する提案は成されていないのが現状である。
【００１０】
関連技術としての前記特開平６−２４５８９５号公報では、各内視鏡用電気機器を収容する内視鏡システム構成機器収納カートによって、内視鏡下手術において使用される各種医療用電子機器の汚れを防止し、手術室内の雑多な雰囲気を解消することのできる技術に関し開示されているが、医用に設計されていない電気機器を、医用電気機器に対する各国の規制やガイドライン等を満足させつつ、且つ低コストで医療現場で使用できるようにするための構成については述べられてはいない。
【００１１】
そこで、本発明は上記事情に鑑みてなされたもので、簡単な構成で且つ低コストで、民生機器である各種の有用な機器の機能を医療用として使用することのできる電気機器の医療用アタッチメントを提供することを目的とする。
【００１２】
【課題を解決するための手段】
上記目的を達成するために請求項１に記載の発明の電気機器のための医療用アタッチメントは、電磁波を遮蔽可能な材料で形成され、電気機器を収容するための内部空間を形成する機器収納ユニットと、前記電気機器と電気的に接続するために前記機器収納ユニットの内部空間側に設けられる第１のコネクタ部と、前記第１のコネクタ部と電気的に接続すると共に、前記機器収納ユニットの外部側に設けられる第２のコネクタ部と、を有することを特徴とするものである。
【００１３】
請求項２に記載の発明の電気機器のための医療用アタッチメントは、医療用の電気機器と組み合わせて使用可能な電気機器のための医療用アタッチメントにおいて、電磁波を遮蔽可能な材料で形成され、非医療用電気機器を収容するための内部空間を形成する機器収納ユニットと、前記機器収納ユニットをアースに接続する第１のコネクタ部と、前記第１のコネクタ部と電気的に接続すると共に、前記機器収納ユニットの外部側に設けられる第２のコネクタ部と、を設けて構成したことを特徴とするものである。
【００１４】
【発明の実施の形態】
以下に、図面を参照しながら本発明の実施の形態について説明する。
【００１５】
第１の実施の形態：
（構成）
図１乃至図４は本発明に係る電気機器の医療用アタッチメント第１の実施の形態を示し、図１は該医療用アタッチメントの概略構成を示す分解斜視図、図２は図１に示す医療用アタッチメントにＴＶモニタを収容した状態を背面側から見た斜視図、図３は図２の医療用アタッチメントの断面図、図４は収容するＴＶモニタのサイズに応じて複数種形成された前カバー及び支持部材の構成例を示す説明図である。
【００１６】
本実施の形態の電気機器の医療用アタッチメント２は、前記機器収納ユニットとして構成されたもので、具体的には、図１に示すように、前側カバー３と、この前側カバー３と組み合わさせる背面パネル９とで主に構成され、前記前側カバー３に民生用のＴＶモニタ装置１を収容し、さらに背面側から背面パネル９でカバーすると同時に、該ＴＶモニタ装置１を内部に着脱自在に収容できる構成となっている。
【００１７】
前記ＴＶモニタ装置１は、市販されている民生用の画像電子機器であり、例えば液晶モニタ、プラズマモニタなどの薄型なものや、通常のＣＲＴモニタなどである。
【００１８】
さらに、医療用アタッチメント２の構成ついて詳細に説明すると、該医療用アタッチメント２において、前側カバー３は、金属製で、内部に収容されるＴＶモニタ装置１の大きさよりもやや大きい寸法で、前面及び背面に開口を有する直方体形状に形成されている。
【００１９】
前記開口には、透明な窓部材４が取り付けられており、収容されたＴＶモニタ装置１の画面を視聴できるようになっている。
【００２０】
また、前側カバー３の内側のＴＶモニタ装置１の４隅に当たる部分には、支持部材５が配されている。これらの支持部材５は、ゴムなどの弾性材料で形成されており、前記ＴＶモニタ装置１の収容時には該ＴＶモニタ装置１の４隅の角が当接しこの取り付け状態を保持する機能を有している。
【００２１】
また、図１及び図３に示すように、ＴＶモニタ装置１の背面側４隅にも上述した構成の他の支持部材５が配されるようになっている。つまり、これら背面側に配される支持部材５は、ＴＶモニタ装置１の背面側の４隅にそれぞれ当接することにより、収容したＴＶモニタ装置１を確実に保持固定する。
【００２２】
なお、これらの支持部材５は、ＴＶモニタ装置１を前側カバー３内に入れてから隙間にはめ込むように固定するため、上述した前側カバー３の内側に配される支持部材５とは異なり、該前側カバー３とはそれぞれ別体に構成されるようになっている。
【００２３】
また、前側カバー３の収容されるＴＶモニタ装置１と干渉しない位置には、ＴＶモニタ装置１の電源コード６を接続できる、第１のコネクタ部としての絶縁トランス７が固定されている。この絶縁トランス７からは第２のコネクタ部としての電源コード８が外部のコンセントに接続できるよう延設されている。
【００２４】
また、本実施の形態では、前記絶縁トランス７のＧＮＤ（アース）と前側カバー３とは、図示はしないが電気的に接続するように構成されている。
【００２５】
なお、本実施の形態では、ＴＶモニタ装置１の種類によっては、前側カバー３の適切な位置に、ＴＶモニタ装置１の電源スイッチや、各種画質調整スイッチなどにアクセスできるようにするための開閉扉を設けて構成しても良い。
【００２６】
また、前側カバー３の背面側は、該前側カバー３の後端面の一部を内側に折り曲げることでフランジ部１０が形成されており、このフランジ部１０上の所定位置には、背面パネル９とねじの螺合により固定するためのねじ穴１１が設けられている。
【００２７】
一方、前記前側カバー３に組み合わされる背面パネル９は、板状に形成されたもので、その外周縁部には複数のねじ穴１２が形成されている。
【００２８】
これらのねじ穴１２は、前記前側カバー３のフランジ部１０上に設けられたねじ穴１１に対応する位置に設けられている。すなわち、これらのねじ穴１１，１２を介してねじで螺合することにより、該背面パネル９を前記前側カバー３に装着することができる。
【００２９】
また、背面パネル９の絶縁トランス７に相対する位置には、電源コード挿通穴１３が開けられている。さらに、内部に収容するＴＶモニタ装置１の各種入出力端子の位置に相対する位置には、入出力端子へのアクセス用の開閉扉１４が蝶番を介して固定されている。また、この開閉扉１４には、各種入出力ケーブルが挿通するための切り欠き部１４Ａが適宜設けられている。
【００３０】
また、背面パネル９の中央近傍には、図２に示すように、ＴＶモニタ装置１を任意の位置に固定できる固定アーム１６の取り付け用ビス穴１４が複数設けられている。
【００３１】
なお、本実施の形態では、前記前側カバー３において、開口に窓部材４を設けた構成について説明したが、例えば図３に示すように、窓部材４を設けずに、該開口を介してＴＶモニタ装置前面のガラス面が露出するように、該ＴＶモニタ装置１のガラス面の周縁部を開口近傍の前側カバー３の延設部分に当接させ、この当接部分である前側カバー３の前面パネル裏側にパッキン１７を取り付け、前記延設部分に当接するように構成しても良い。
【００３２】
また、本実施の形態において、医療用アタッチメント２は、各種ＴＶモニタ装置１の形状や大きさに対応できるように構成されている。つまり、医療用アタッチメント２を構成する前側カバー３，背面パネル９や、支持部材５が、図４に示すように、各種ＴＶモニタ装置２の形状や大きさに対応できるよう複数のサイズにて構成されており、使用時には収容するＴＶモニタ装置２のサイズに合わせて用意する。
【００３３】
例えば、前側カバー３，背面パネル９と支持部材５は、図４（ａ）及び図４（ｃ）に示すサイズと、それよりも大きなサイズである図４（ｂ）及び図４（ｄ）に示すサイズとの二通りに構成され、それらを組み合わせて使用できるようになっている。勿論、さらに異なるサイズで複数種構成すれば、使い勝手の良い医療用アタッチメント２を構成できる。
【００３４】
（作用）
次に、本実施の形態の医療用アタッチメント２の組立て方法を図１乃至図４を参照しながら詳細に説明する。
【００３５】
先ず、作業者は予め、収容するＴＶモニタ装置１の形状、大きさに合わせて、例えば図４（ａ）及び図４（ｃ）に示すサイズの前側カバー３、背面パネル９、支持部材５、あるいは図４（ｂ）及び図４（ｄ）に示すサイズ、あるいは図示しない他のサイズの前側カバー３、背面パネル９、支持部材５から選択して用意する。
【００３６】
そして、作業者は、ＴＶモニタ装置１を用意した支持部材５で各４隅を支えるようにして前側カバー３内に収容し（図３参照）、収容したＴＶモニタ装置１の電源コード６を前側カバー３に配設されている絶縁トランス７に接続し、その後、該ＴＶモニタ装置１の背面側の各４隅に他の支持部材５をはめ込み、そして、背面パネル４を前側カバー３にビス止めする。
【００３７】
この場合、背面パネル９のねじ穴１１と前側カバー３のフランジ部１０上のねじ穴１２を介してねじで螺合することにより、該背面パネル９が確実に前側カバー３に装着される。
【００３８】
また、図示しない画像処理装置との接続用などの各種入出力ケーブルは、開閉扉１４を開けて接続し、これらの入出力ケーブルが切り欠き部１４Ａから該医療用アタッチメント２外部へと出るように配線する。
【００３９】
こうして、ＴＶモニタ装置１の医療用アタッチメント２に対する組立て作業を完了する（図２及び図４参照）。
【００４０】
いま、このように組立てられた医療用アタッチメント２内のＴＶモニタ装置１を使用するものとする。
【００４１】
この場合、本実施の形態の医療用アタッチメント２においては、金属製の前側カバー３、背面パネル９がＴＶモニタ装置１を囲うと同時に、これら前側カバー３及び背面パネル９が内部に搭載された絶縁トランス７のＧＮＤ（アース）に電気的に接続されているため、収容されたＴＶモニタ装置１が発する電磁波を、医療現場で使用するに相応しいレベルまで減衰させることができる。また、絶縁トランス７が電撃等から患者や使用者を保護することもできる。
【００４２】
さらに、図１に示すように前側カバー４の開口には透明な窓部材４が設けられているので、不意に水がかけられたとしてもこの水からＴＶモニタ装置１を保護することも可能である。
【００４３】
なお、図４に示すような窓部材４を設けずにパッキング１７を用いた構成では、図中に示すように、前側カバー３とＴＶモニタ装置１の前面との隙間を前述のパッキン１７にて密封しているため水の浸入を防ぐことも可能となる。
【００４４】
（効果）
したがって、本実施の形態によれば、前側カバー３，背面パネル９及び支持部材５等で構成される医療用アタッチメント２内に、民生用の電気機器としてのＴＶモニタ装置１を確実に収容し保持することができ、また防水効果も得られ、ＴＶモニタ装置における動作機能の安定化を図ることができる。
【００４５】
また、ＴＶモニタ装置１の使用時には、絶縁トランス７のＧＮＤに電気的に接続された電磁波シールド機能を有する医療用アタッチメント２内に該ＴＶモニタ装置１が収容されているため、ＥＭＣ等の電磁波に対する規制に適合させることが可能となり、また、絶縁トランス７により電撃等から患者や使用者を保護することもできる。
【００４６】
これにより、簡単な構成で且つ低コストで、民生機器である各種の有用な機器の機能を医療用として使用することのできる電気機器の医療用アタッチメントの実現が可能となる。
【００４７】
第２の実施の形態：
（構成）
図５は本発明に係る電気機器の医療用アタッチメントの第２の実施の形態を示し、該医療用アタッチメントと他の外部機器とを積載可能なカートを用いて構成されたシステム全体を示す構成図である。なお、本実施の形態の説明では、前記第１の実施の形態と重複する部分については説明を省略し、異なる部分のみを説明する。
【００４８】
本実施の形態では、前記第１の実施の形態の医療用アタッチメント２と略同様の機能を有し、比較的大型に形成された医療用アタッチメント２１を、他の各種医用電気機器２３を収容するカート２２に搭載することで医療用システムとして構築したことが特徴である。
【００４９】
具体的には、図５に示すように、本システムは、医療用アタッチメント２１と、該医療用アタッチメント２１に収容されるＴＶモニタ装置２１と、該医療用アタッチメント２１を搭載するとともに、他の各種医用電気機器２３を収容するカート２２とで構成されている。
前記ＴＶモニタ装置２０は、比較的大型な画面を持つＴＶモニタ装置であり、前記第１の実施の形態と略同様な機能を有し、サイズもこれに合わせて形成された医療用アタッチメント２１に収容されている。
【００５０】
この医療用アタッチメント２１を上部に搭載するカート２２は、前記医療用アタッチメント２１と略同じ幅で形成されており、下端部にはキャスター２２ａが取り付けられることによって移動可能に構成されている。
【００５１】
また、前記カート２２は、図５に示すように、複数の各種医用電気機器２３をそれぞれ収容可能な棚部２４と、最も下段の棚部２４の下側に配され、画像記録装置等の非医用電気機器２５を取り囲んで収容する収納部２７と、この収納部２７に隣接するように配され、その他の小物類を収納する他の収納部２９とを有して構成されている。
【００５２】
本実施の形態では、前記収納部２７は、医療用アタッチメント２１と同様に、画像記録装置等の非医用電気機器２５を取り囲んで収容し、金属製で、開閉支持部やフィンガーなどによって電気的にＧＮＤに接続されている開閉可能な扉２６を前後に設けて構成されている。また、収納部２７内部の端には、絶縁トランス２８を設けて構成されている。
【００５３】
したがって、この構成より、該収納部２４においても、前記医療用アタッチメント２１と同様に、該非医用電気機器２５の使用時には、絶縁トランス２８のＧＮＤに電気的に接続された電磁波シールド機能を有する収納部２７内に該非医用電気機器２５が収容されているため、ＥＭＣ等の電磁波に対する規制に適合させることが可能となる。
【００５４】
（作用）
次に、本実施の形態の特徴となる作用を図５を参照しながら詳細に説明する。
【００５５】
本実施の形態において、本システムの医療用アタッチメント２１については前記第１の実施の形態の医療用アタッチメント２と略同様に作用して同様の効果が得られる。
【００５６】
さらに、本実施の形態では、カート２２の収納部２７は、前記医療用アタッチメント２１と同様に、該非医用電気機器２５の使用時には、絶縁トランス２８のＧＮＤに電気的に接続された電磁波シールド機能を有する収納部２７内に該非医用電気機器２５が収容されているため、ＥＭＣ等の電磁波に対する規制に適合させることが可能となり、また、絶縁トランス２８により電撃等から患者や使用者を保護することもできる。
【００５７】
（効果）
したがって、本実施の形態によれば、電磁波シールド機能を有する医療用アタッチメント２１と、同じ電磁波シールド機能を有する収納部２７，棚部２４及び他の収納部２９を有するカート２２とで医療用システムを構成したことにより、比較的大型なＴＶモニタ装置２０でも使用できるとともに、必要な機材を一体的に移動させることが可能となる。また、ＴＶモニタ装置２０以外にも、画像記録装置等の非医用電気機器２５を収容することができる。その他の効果については、前記第１の実施の形態と同様である。
【００５８】
第３の実施の形態：
（構成）
本発明に係る前記第１，第２の実施の形態においては、絶縁トランス７，２８を医療用アタッチメント２，２１や収納部２７に設けるとともに、これら筐体に対して該絶縁トランス７，２８のＧＮＤに電気的に接続することにより、収容されるＴＶモニタ装置１，２０や画像記録装置等の非医用電気機器２５に対する電力供給時に、電磁波シールド機能が得られることについて説明したが、これに限定されるものではなく、このような電力供給以外でも電気機器が接続されるものであれば上記実施の形態と同様の効果を得ることが可能である。
【００５９】
すなわち、本実施の形態では、前記第１，第２の実施の形態にて用いられた絶縁トランス７，２８の他に、例えば図示はしないが、医療用システムとして機能を向上させるために各種医療用あるいは非医療電気機器をネットワーク接続するためのＬＡＮケーブルのコネクタ部を、医療用アタッチメント２，２１や収納部２７内に配設し、このコネクタ部のＧＮＤと医療用アタッチメント２，２１や収納部２７と電気的に接続して構成する。
【００６０】
その他の構成は、前記第１，第２の実施の形態と同様である。
【００６１】
（作用）
本実施の形態においては、上記構成の医療用アタッチメントにおいて、各種医療用あるいは非医療電気機器をネットワーク接続するためのＬＡＮケーブルのコネクタ部を、医療用アタッチメント２，２１や収納部２７内に配設し、このコネクタ部のＧＮＤを医療用アタッチメント２，２１や収納部２７に電気的に接続しているので、前記第１，第２の実施の形態と同様に医療用アタッチメント２，２１やカート２２の収納部２７は電磁波シールド機能を得、ＴＶモニタ装置や画像記録装置等の非医療用電気機器を使用することができる。
【００６２】
（効果）
したがって、本実施の形態によれば、絶縁トランスだけでなくＬＡＮケーブルのコネクタ部を設けた場合でも、電磁波シールド機能が得られることで、ＴＶモニタ装置や画像記録装置等の非医療用電気機器を医療用として使用することができると同時に、ＬＡＮケーブルを介して他の外部機器や医療システムとネットワーク接続できるので、より医療用システムの機能の向上化に大きく寄与する。その他の効果は前記第１，第２の実施の形態と同様である。
【００６３】
なお、本発明に係る上記第１乃至第３の実施の形態において、医療用アタッチメント２，２１の前側カバー３や背面パネル９に空気取入口を設けるとともに、前側カバー３内にその空気取入口を介して吸気を行い冷却するための冷却ファンを設けて構成しても良い。
【００６４】
また、本発明は上記第第１乃至第３の実施の形態に限定されるものではなく、本発明の範囲を逸脱しない範囲での応用や組み合わせも適用される。
【００６５】
［付記］
以上詳述したような本発明の上記実施の形態によれば、以下の如き構成を得ることができる。
【００６６】
（１）  電磁波を遮蔽可能な材料で形成され、電気機器を収容するための内部空間を形成する機器収納ユニットと、
前記電気機器と電気的に接続するために前記機器収納ユニットの内部空間側に設けられる第１のコネクタ部と、
前記第１のコネクタ部と電気的に接続すると共に、前記機器収納ユニットの外部側に設けられる第２のコネクタ部と、
を有することを特徴とする電気機器のための医療用アタッチメント。
【００６７】
（２）  医療用の電気機器と組み合わせて使用可能な電気機器のための医療用アタッチメントにおいて、
電磁波を遮蔽可能な材料で形成され、非医療用電気機器を収容するための内部空間を形成する機器収納ユニットと、
前記機器収納ユニットをアースに接続する第１のコネクタ部と、
前記第１のコネクタ部と電気的に接続すると共に、前記機器収納ユニットの外部側に設けられる第２のコネクタ部と、
を具備したことを特徴とする電気機器のための医療用アタッチメント。
【００６８】
（３）  前記機器収納ユニットに収容される電気機器は、モニタ、画像記録装置のいずれかであることを特徴とする（１）又は（２）に記載の電気機器のための医療用アタッチメント。
【００６９】
（４）  前記機器収納ユニットは、収容する前記電気機器がモニタである場合には、該モニタの種類、画面の大きさに合わせて複数種の大きさで形成されたもので、この内、収容する前記モニタに合わせた大きさのものを選択して使用することを特徴とする（１）又は（２）に記載の電気機器のための医療用アタッチメント。
【００７０】
（５）  前記機器収納ユニットは、内部に収容する電気機器のサイズの違いを吸収可能に保持する弾性固定部材、またはサイズの違いに合わせて交換可能な固定アタッチメントを有して構成したことを特徴とする（１）又は（２）に記載の電気機器のための医療用アタッチメント。
【００７１】
（６）  前記機器収納ユニットは、前記モニタを収容する前側カバーと、この前側カバーをカバーする背面パネルとから構成され、前記前側カバーは、収容されたモニタの画面を外から観察できる開口を有して構成されたことを特徴とする（４）に記載の電気機器のための医療用アタッチメント。
【００７２】
（７）  前記背面パネルは、内部に収容されたモニタとその他の機器との接続ケーブルを挿通可能で、開閉可能な蓋が付けられた開口を有して構成したことを特徴とする（６）に記載の電気機器のための医療用アタッチメント。
【００７３】
（８）  前記機器収納ユニットは、収容する前記電気機器が画像記録装置である場合には、内部に収容された前記画像記録装置や記録媒体を出し入れ可能にするための開口部が設けられ、この開口部には前記第１のコネクタ部に導通された開閉可能な蓋が設けて構成したことを特徴とする（１）又は（２）に記載の電気機器のための医療用アタッチメント。
【００７４】
（９）  前記第１のコネクタ部は、絶縁トランスであることを特徴とする（１）乃至（８）のいずれか１つに記載の電気機器のための医療用アタッチメント。
【００７５】
（１０）  前記第２のコネクタ部は、他の外部電気機器と接続可能な入出力端子群であることを特徴とする（１）乃至（８）のいずれか１つに記載の電気機器のための医療用アタッチメント。
【００７６】
（１１）  前記第１のコネクタ部は、ＬＡＮケーブルのコネクタであることを特徴とする（１）乃至（８）のいずれか１つに記載の電気機器のための医療用アタッチメント。
【００７７】
（１２）  （１）乃至（１１）のいずれか１つに記載の電気機器のための医療用アタッチメントと、
前記医療用アタッチメントを搭載可能であり、医療用の各種電気機器を収容する複数の収容棚と、前記機器収納ユニットと同じ電磁波シールド機能を有し、非医療用電気機器を収納する電磁波シールド収納部と、前記第１のコネクタ部及び第２のコネクタ部とを含んで構成され、前記医療用アタッチメントを含みこれら一体に移動可能な移動手段とを有するカートと、
を具備して構成されたこと特徴とする医療用システム。
【００７８】
【発明の効果】
以上、説明したように本発明によれば、簡単な構成で且つ低コストで、民生機器である各種の有用な機器の機能を医療用として使用することのできる電気機器の医療用アタッチメントを提供することが可能となる。
【図面の簡単な説明】
【図１】本発明に係る電気機器の医療用アタッチメント第１の実施の形態を示し、該医療用アタッチメントの概略構成を示す分解斜視図。
【図２】図１に示す医療用アタッチメントにＴＶモニタを収容した状態を背面側から見た斜視図。
【図３】図２の医療用アタッチメントの断面図。
【図４】収容するＴＶモニタのサイズに応じて複数種形成された前カバー及び支持部材の構成例を示す説明図。
【図５】本発明に係る電気機器の医療用アタッチメントの第２の実施の形態を示し、該医療用アタッチメントと他の外部機器とを積載可能なカートを用いて構成されたシステム全体を示す構成図。
【符号の説明】
１…ＴＶモニタ装置、
２…医療用アタッチメント、
３…前側カバー、
４…窓部材、
５…支持部材、
６，８…電源コード、
７…絶縁トランス、
９…背面パネル、
１０…フランジ部、
１１，１２…ねじ穴、
１４…開閉扉、
１６…固定アーム。
【図１】
2005013612.tif 000003
【図２】
2005013612.tif 000004
【図３】
2005013612.tif 000005
【図４】
2005013612.tif 000006
【図５】
2005013612.tif 000007